(57)【特許請求の範囲】
【請求項１】
内容物を収容したボトルの口部に取り付け可能であり、前記内容物を吐出するための吐出口が形成されているとともに複数の櫛歯を有する櫛部が設けられた櫛付きキャップにおいて、
前記複数の櫛歯が、該櫛歯の先端側からみて曲線的に並べて設けられていることを特徴とする櫛付きキャップ。
【請求項２】
請求項１記載の櫛付きキャップにおいて、
前記複数の櫛歯が、該櫛歯の先端側からみて円弧状に並べて設けられていることを特徴とする櫛付きキャップ。
【請求項３】
請求項１または２記載の櫛付きキャップにおいて、
少なくとも前記櫛歯の先端部の表層部が弾性材料によって形成されていることを特徴とする櫛付きキャップ。
【発明の詳細な説明】
【技術分野】
【０００１】
本発明は、ボトルの口部に取り付け可能な櫛付きキャップに関する。
【背景技術】
【０００２】
この種の櫛付きキャップとして、従来、例えば下記特許文献１、２に示されているような、複数の櫛歯を有する櫛部が設けられた構成が知られている。詳しく説明すると、櫛付きキャップは、ボトル口部に螺着されるキャップ本体と、毛髪を梳かすための櫛部と、から構成されている。櫛部は、キャップ本体の天板部の上面に突設された中空の基台部と、基台部に突設された複数の櫛歯と、から構成されている。複数の櫛歯は、櫛歯の先端側からみて直線的に並べて設けられている。また、各櫛歯の上部には、ボトル内に収容された内容物を吐出するための吐出口がそれぞれ形成されている。また、各櫛歯には、櫛歯の中心軸線方向に延在する連通孔が形成されており、この連通孔の一端は上記吐出口に連通されており、他端は中空の基台部の内側に連通されている。このような構成からなる櫛付きキャップによれば、吐出口から内容物を吐出させるとともに櫛部で毛髪を梳かすことにより、毛髪に内容物を塗布することができる。
【特許文献１】特開２００２−３４５５４２号公報
【特許文献２】実開平１−１５８７２９号公報
【発明の開示】
【発明が解決しようとする課題】
【０００３】
しかしながら、上記した従来の櫛付きキャップでは、頭部が非平面的（曲面或いは起伏面）であるため、複数の櫛歯の先端を頭皮にフィットさせることができず、内容物の塗布ムラが生じ易いという問題がある。すなわち、櫛部で頭髪を梳かす際に、全ての櫛歯の先端を頭皮に当てることができず、櫛歯の先端と頭皮との間に隙間があいた部分ができる。例えば、櫛歯を並べた方向（以下、櫛歯整列方向）の中央部分の櫛歯の先端を頭皮に当てると、櫛歯整列方向の両端部の櫛歯の先端と頭皮との間に隙間があく。この場合、上記した両端部分では、毛髪の根元部分にまで櫛歯が通らず、内容物の塗布範囲の頭皮からの高さが上記した中央部分よりも高くなり、内容物の塗布ムラが生じ易くなる。
【０００４】
本発明は、上記した従来の問題が考慮されたものであり、非平面的な頭皮に生えた毛髪に対して内容物をムラ無く塗布することができる櫛付きキャップを提供することを目的としている。
【課題を解決するための手段】
【０００５】
本発明に係る櫛付きキャップは、内容物を収容したボトルの口部に取り付け可能であり、前記内容物を吐出するための吐出口が形成されているとともに複数の櫛歯を有する櫛部が設けられた櫛付きキャップにおいて、前記複数の櫛歯が、該櫛歯の先端側からみて曲線的に並べて設けられていることを特徴としている。
【０００６】
このような特徴により、吐出口から内容物を吐出させるとともに、櫛歯の先端を頭皮に当てた状態で、櫛歯が並べられた方向と直交する方向に櫛部を移動させ、櫛部で毛髪を梳かす。このとき、櫛歯は、頭皮に対して垂直に当てられずに、移動方向（梳かす方向）に傾けた状態で頭皮に当てられる。このため、曲線的に並べて設けられた複数の櫛歯の先端は、非平面的な形状の頭皮にフィットする。
【０００７】
また、本発明に係る櫛付きキャップは、前記複数の櫛歯が、該櫛歯の先端側からみて円弧状に並べて設けられていることが好ましい。
これにより、毛髪を櫛部で梳かす際、上記円弧の中心側の方向に櫛歯を傾けて、その方向に梳かすことにより、複数の櫛歯の先端が頭部の曲面的な部分にフィットされるとともに、梳かされた毛髪が櫛歯整列方向の中央側に寄せ集められる。
【０００８】
また、本発明に係る櫛付きキャップは、少なくとも前記櫛歯の先端部の表層部が弾性材料によって形成されていることが好ましい。
これにより、頭皮に櫛歯の先端を当てた際、弾性材料により形成された表層部によって、頭皮に対する緩衝作用が発揮される。
【発明の効果】
【０００９】
本発明に係る櫛付きキャップによれば、櫛部で毛髪を梳かす際に、櫛歯の先端が非平面的な形状の頭皮にフィットするため、非平面的な部分に生えた毛髪に内容物をムラ無く塗布することができる。
【発明を実施するための最良の形態】
【００１０】
以下、本発明に係る櫛付きキャップの実施の形態について、図面に基いて説明する。
図１は本実施の形態における櫛付きキャップ１を備えた吐出容器２の部分縦断面図であり、図２は図１における右側からみた前記吐出容器２の側面図であり、図３は前記櫛付きキャップ１を上方からみた平面図である。
なお、本実施の形態では、吐出容器２のボトル３からみて櫛付きキャップ１側（図１における上側）を上方とし、その反対側（図１における下側）を下方とする。また、後述する櫛歯２２が並べられた方向（図３における横方向）をＸ方向とし、Ｘ方向に直交する方向（図３における縦方向）をＹ方向とする。また、上下方向に延在する図１に示す符号Ｌは、櫛付きボトル容器２の中心軸線であるボトル軸Ｌを示している。
【００１１】
図１、図２に示すように、櫛付きキャップ１は、ボトル３の口部３０に取り付けられたポリプロピレン（以下、ＰＰと記す。）等の合成樹脂製の部材であり、その概略構成としては、上記口部３０に螺着されるキャップ本体部１０と、毛髪を梳かすための櫛部２０と、を備えている。なお、上記ボトル３は、内部に毛染め剤等の内容物が収容されたスクイズボトルであり、その胴部３１がスクイズ変形可能で復元自在な可撓性を有している。
【００１２】
キャップ本体部１０は、円環状の天板部１１と、天板部１１の外縁部から下方に向かって垂下された外筒部１２と、天板部１１の内縁部から下方に向かって垂下された内筒部１３と、を備えている。外筒部１２は、上記口部３０の外側に被せられる円筒形状のものであり、その内周面には、上記口部３０の外周面に形成された雄ネジ３０ａに螺着される雌ネジ１２ａが形成され、また、その外周面には、上下方向に延在する凸条部１２ｂがキャップ周方向に間隔をあけて複数配設されている。内筒部１３は、上記口部３０の内側に挿入される円筒形状のものであり、その外周面は、口部３０の上端部の内周面に摺接されている。
【００１３】
櫛部２０は、キャップ本体１０の天板部１１の上面に設けられた中空の基台部２１と、基台部２１の上面に突設された複数の櫛歯２２と、を備えている。
基台部２１は、天板部１１の内縁部から上方に向けて膨出された略ドーム状の形状になっており、図３に示すように平面視においてＸ方向に長い楕円形状になっており、その下端面は開口されており、内筒部１３の内側に連通されている。
【００１４】
櫛歯２２は、ボトル軸Ｌと平行に延在する平板状のものであり、図２に示すように上方に向かうに従い漸次縮幅された尖形状になっている。櫛歯２２の先端部及び側端部はそれぞれ断面視円弧形状になっている。複数の櫛歯２２は、図３に示すように、櫛歯２２の先端側（上側）からみて、それぞれＹ方向に沿って配置されているとともにＸ方向に一定間隔をおいて曲線的に並べて設けられている。具体的に説明すると、複数の櫛歯２２は、櫛歯２２の先端側からみて、円弧状に並べられている。すなわち、各櫛歯２２の中心位置が円弧線上にそれぞれ位置するように、隣り合う櫛歯２２同士がＹ方向に徐々にずらして配置されており、複数の櫛歯２２のうちの櫛歯整列方向（Ｘ方向）の中央部分の櫛歯２２がＹ方向の一方側（Ｙ１側）に配置され、櫛歯整列方向（Ｘ方向）の両端部分の櫛歯２２がＹ方向の他方側（Ｙ２側）に配置されている。
【００１５】
また、櫛歯２２には、ボトル３内の内容物を吐出するための吐出口２３と、この吐出口２３と基台部２１の内側空間とを連結する連通孔２４と、がそれぞれ形成されている。具体的に説明すると、吐出口２３は、櫛歯２２の中心軸線方向に直交する方向（Ｘ方向）に延在する断面形状円形の貫通孔であり、櫛歯２２の上部に形成されている。ただし、吐出口２３は、櫛歯２２の先端よりも下方（櫛歯根元側）の位置に配設されている。なお、各櫛歯２２にそれぞれ形成された複数の吐出口２３は、図３に示すように、櫛歯２２の先端側からみて直線的に配設されている。つまり、複数の吐出口２３は、Ｘ方向に延在する共通軸線Ｐ上にそれぞれ配設されている。連通孔２４は、櫛歯２２の中心軸線方向（上下方向）に延在する貫通孔であり、その上端が吐出口２３に連通されており、その下端が基台部２１の内側に連通されている。
【００１６】
次に、上記した構成からなる櫛付きキャップ１の作用について説明する。
【００１７】
まず、櫛歯２２の先端を頭皮に当てる。詳しく説明すると、ボトル３の胴部３１を把持し、吐出容器２を上下反転させて櫛歯２２の先端を頭皮に当接させる。
次に、吐出口２３から所定量の内容物を吐出させながら、櫛部２０により毛髪を梳かし、上記した内容物を毛髪に塗布する。詳しく説明すると、ボトル３の胴部３１を指等で押圧してスクイズ変形させる。これにより、ボトル３の内圧が上昇し、ボトル３内の内容物が、基台部２１内から連通孔２４内を通って吐出口２３から吐出される。また、櫛歯２２が並べられた方向（Ｘ方向）と直交する方向（前記円弧の中心側。つまり図３におけるＹ２側。）に頭皮に沿って移動させる。これにより、吐出口２３から吐出された内容物が毛髪に塗布される。
【００１８】
このとき、櫛歯２２は、頭皮に対して垂直に当てられずに、移動方向（Ｙ２側）に傾けた状態で頭皮に当てられる。これにより、円弧状に並べて設けられた複数の櫛歯２２の先端は、曲面形状の頭皮にフィットする。また、複数の櫛歯２２が、櫛歯２２の先端側からみて円弧形状に並べて設けられているので、毛髪を櫛部２０で梳かす際、梳かされた毛髪がＸ方向（櫛歯整列方向）の中央側に寄せ集められる。また、吐出口２３は、櫛歯２２の先端よりも櫛歯根元側に形成されているので、吐出口２３から吐出された内容物が頭皮に直接付着しにくくなっている。また、上記スクイズ変形を解除して、ボトル３の内圧を低下させることにより、内容物の吐出が停止される。
【００１９】
上記した構成からなる櫛付きキャップ１によれば、櫛部２０で毛髪を梳かす際に、櫛歯２２の先端が頭皮にフィットするため、内容物の塗布範囲の頭皮からの高さが均一になり、曲面状の部分に生えた毛髪に内容物をムラ無く塗布することができる。
【００２０】
また、毛髪を櫛部２０で梳かす際、梳かされた毛髪がＸ方向（櫛歯整列方向）の中央側に寄せ集められるので、内容物を効率良く毛髪に塗布することができる。
また、内容物が頭皮に直接付着しにくくなっているので、頭皮に対する内容物によるダメージを軽減或いは防止することができる。
【００２１】
以上、本発明に係る櫛付きキャップの実施の形態について説明したが、本発明は上記した実施の形態に限定されるものではなく、その趣旨を逸脱しない範囲で適宜変更可能である。
例えば、上記した実施の形態では、櫛付きキャップ１全体がＰＰ等の硬質の合成樹脂により形成されているが、本発明は、少なくとも櫛歯２２の先端部の表層部が弾性材料で形成されていることが好ましい。これにより、頭皮に櫛歯２２の先端を当てた際、上記した弾性材料により形成された表層部によって、頭皮に対する緩衝作用が発揮され、頭皮に与えるダメージを軽減させることができる。
【００２２】
具体的に説明すると、図４に示すように、櫛歯１２２の表層部全体にエラストマーからなる表層部１２２ａが形成された構成にすることができる。この表層部１２２ａは、櫛歯１２２の本体部１２２ｂの表面に被覆されており、エラストマーからなる表層部１２２ａとＰＰ等の合成樹脂からなる本体部１２２ｂとは二色成形やインサート成形等により一体化されている。また、図５に示すように、櫛歯２２２の先端にエラストマーからなる先端部２２２ａが形成された構成にすることもできる。この先端部２２２ａの基端面には凹部２２２ｃが形成されており、この凹部２２２ｃには、櫛歯２２２の本体部２２２ｂの先端に形成された凸部２２２ｄが嵌合されている。また、図６に示すように、櫛歯３２２の先端にエラストマーからなる先端部３２２ａが形成されるとともに、櫛歯３２２の表層部全体にエラストマーからなる表層部３２２ｂが形成された構成にすることができる。また、基台部２１が硬質材で形成され、複数の櫛歯２２の全体がエラストマーにより形成された構成にすることも可能であり、或いは、櫛部２０全体がエラストマーにより形成された構成にすることも可能である。
図5と図6については、図4と同様に二色成形やインサート成形等により本体部とエラストマーを一体化させてもよい。
なお、エラストマー以外の弾性材料を用いることも可能であり、例えば、ミラストマーやシリコンゴム等を用いることができる。
【００２３】
また、上記した実施の形態では、複数の櫛歯２２が、櫛歯２２の先端側からみて円弧状に並べて設けられているが、本発明は、複数の櫛歯が、櫛歯の先端側からみて曲線的に並べて設けられていればよく、例えば、図７に示すように、複数の櫛歯２２が、櫛歯２２の先端側からみて、略Ｓ字状に並べて設けられていてもよい。また、複数の櫛歯が、櫛歯の先端側からみて、略Ｍ字状や略Ｕ字状に並べて設けられていてもよい。これにより、起伏面等のように非平面的な頭皮に生えた毛髪に対して内容物をムラ無く塗布することができる。
【００２４】
また、上記した実施の形態では、櫛歯２２の上部に円形の吐出口２３が形成されているが、本発明は、吐出口の形状は適宜変更可能であり、例えば、図８に示すように、矩形の吐出口１２３が櫛歯２２に形成されていてもよい。また、本発明は、吐出口の位置は適宜変更可能であり、例えば、櫛歯２２の中間部分や根元部分に吐出口が形成されていてもよく、或いは、基台部２１の上面のうちの隣り合う櫛歯間の位置に吐出口が形成されていてもよい。
【００２５】
また、上記した実施の形態では、複数の櫛歯２２がボトル軸Ｌに対する仮想垂直面に沿って並べられており、複数の櫛歯２２がボトル軸Ｌ方向に突出されているが、本発明は、櫛歯の向きは適宜変更可能である。例えば、複数の櫛歯がボトル軸Ｌと平行な仮想平面に沿って並べられ、複数の櫛歯がボトル軸Ｌに直交する方向に突出されていてもよく、或いは、複数の櫛歯がボトル軸Ｌに対して傾斜した仮想平面に沿って並べられ、複数の櫛歯がボトル軸Ｌに対して傾斜した方向に突出されていてもよい。
【００２６】
また、上記した実施の形態では、スクイズボトルであるボトル３に櫛付きキャップ１が取り付けられているが、本発明に係る櫛付きキャップをスクイズボトル以外のボトルに取り付けることも可能である。例えば、シリンダ内をピストンが往復移動する構成のポンプにより内容物を吐出させる吐出容器やエアゾール容器等に本発明に係る櫛付きキャップ適用することも可能であり、その他の構成の吐出容器に適用することも可能である。
【００２７】
また、上記した実施の形態では、複数の櫛歯２２が一列に並べられているが、本発明は、複数の櫛歯が、二列以上に並べられていてもよい。
また、上記した実施の形態では、平板形状の櫛歯２２が備えられているが、本発明は、櫛歯の形状を適宜変更することが可能であり、例えば、棒状の櫛歯が設けられていてもよい。
【００２８】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００２９】
【図１】本発明の実施の形態を説明するための部分縦断面図である。
【図２】本発明の実施の形態を説明するための側面図である。
【図３】本発明の実施の形態を説明するための平面図である。
【図４】本発明の他の実施の形態を説明するための櫛歯の断面図である。
【図５】本発明の他の実施の形態を説明するための櫛歯の断面図である。
【図６】本発明の他の実施の形態を説明するための櫛歯の断面図である。
【図７】本発明の他の実施の形態を説明するための平面図である。
【図８】本発明の他の実施の形態を説明するための部分縦断面図である。
【符号の説明】
【００３０】
１  櫛付きキャップ
３  ボトル
３０  口部
２０  櫛部
２２、１２２、２２２、３２２  櫛歯
【図１】
0005060908.tif 000002
【図２】
0005060908.tif 000003
【図３】
0005060908.tif 000004
【図４】
0005060908.tif 000005
【図５】
0005060908.tif 000006
【図６】
0005060908.tif 000007
【図７】
0005060908.tif 000008
【図８】
0005060908.tif 000009